(57)【特許請求の範囲】
【請求項１】
本体と、本体下部に挿通した軸と、前記軸により本体下部に回動可能に軸支した爪と、爪の基端部と本体下部を貫通したシャーピンと、爪の基端部の本体と反対側の面に配置され前記軸により回転自在に軸支したピン飛出し防止板とを備え、ピン飛出し防止板は、外周部の少なくとも一箇所にピン挿入部を有し、本体下部と爪の基端部との間に滑り板を設けたことを特徴とする錨。
【発明の詳細な説明】
【技術分野】
【０００１】
本発明は、主にプレジャーボート等の小型船舶に用いられる錨に関する。
【背景技術】
【０００２】
小型船舶に用いられる錨においては、錨の爪が岩礁等に引っ掛かって取れなくなり、無理に錨を引き上げようとして爪を破損することがあった。また、錨を繋いでいるロープを切ってロープと錨を海中に残すと、ロープが船のスクリューに巻き付いて海難事故を発生させる原因になる。
【０００３】
これを防止するために特許文献１には、ロープ等に繋ぐ柱状の本体の下部に爪の基端部を回動自在に軸支し、本体の下部と爪の基端部とにシャーピンを貫通して設け、通常の使用時においてはシャーピンにより爪が回動しないように保持され、爪が岩礁等に引っ掛かって爪に一定以上の力が加わるとシャーピンが剪断されて爪が回動し、爪を破損することなく岩礁等から外して錨を回収できるようにしたものが記載されている。
【０００４】
上記特許文献１記載のものでは、使用中にシャーピンが抜け落ちると困るので、シャーピンとしてボルトとナットを使用していた。ボルト・ナットを用いる場合、これをセットするには工具が必要となり、セッティングに手間が掛かる。さらにボルトが剪断されると、折れたボルトやナットが海中に脱落するため、好ましくない。またボルトは、材質や太さの種類が多くないので、通常の使用時には剪断されずに、爪が岩礁等に引っ掛かったときには確実に剪断されるような調度良い強さのものを見付けるのが容易ではない。
【先行技術文献】
【特許文献】
【０００５】
【特許文献１】特開２００２−１９３１８４号公報
【発明の概要】
【発明が解決しようとする課題】
【０００６】
本発明は以上に述べた実情に鑑み、ピン等が抜け落ちることがなく、セッティングが容易で爪の動作の信頼性も高い錨の提供を目的とする。
【課題を解決するための手段】
【０００７】
上記の課題を達成するために請求項１記載の発明による錨は、本体と、本体下部に挿通した軸と、前記軸により本体下部に回動可能に軸支した爪と、爪の基端部と本体下部を貫通したシャーピンと、爪の基端部の本体と反対側の面に配置され前記軸により回転自在に軸支したピン飛出し防止板とを備え、ピン飛出し防止板は、外周部の少なくとも一箇所にピン挿入部を有し、本体下部と爪の基端部との間に滑り板を設けたことを特徴とする。
【発明の効果】
【００１０】
請求項１記載の発明による錨は、爪の基端部の本体と反対側の面に、回転式のピン飛出し防止板を備えており、ピン飛出し防止板は外周部の少なくとも一箇所にピン挿入部を有しており、このピン挿入部を爪と本体のピン差込み孔に合わせてシャーピンを挿入し、その後ピン飛出し防止板を回転させることにより、シャーピンの抜けを簡単に確実に防止できる。このような回転式のピン飛出し防止板を設けたことで、シャーピンとして単なる丸棒状のものが使用できるようになり、またシャーピンをセットするのに工具が必要ないため、取扱いのしやすいものとなる。また、シャーピンの径や材質、使用するシャーピンの本数を適宜変更することで、シャーピンが剪断されて爪が回動するときの力を簡単に調整でき、根掛かり防止機能を安定して発揮できる。
【００１１】
さらに本発明による錨は、本体下部と爪の基端部との間に滑り板を設けたことにより、爪の基端部が本体と焼付くのを防止できるため、爪の回動動作の信頼性を向上できる。
【図面の簡単な説明】
【００１３】
【図１】本発明の錨の第１実施形態を示す正面図である。
【図２】同錨の底面図である。
【図３】図１のＡ−Ａ断面図である。
【図４】同錨の分解斜視図である。
【図５】第１実施形態の錨の中央下部を拡大して示す正面図であって、（ａ）はシャーピンをセットするときの状態、（ｂ）はシャーピンを抜け止めした状態を示す。
【図６】第１実施形態の錨の使用状態を示す図であって、（ａ）は爪が岩礁に引っ掛かって根掛かりした状態、（ｂ）は爪が回動して根掛かりが解消された状態を示している。
【図７】本発明の錨の第２実施形態を示す爪の軸支部分の横断面図であって、（ａ）は爪が所定の位置に保持されている状態、（ｂ）は爪が回動するときの状態を示している。
【図８】第２実施形態の錨の分解斜視図である。
【発明を実施するための形態】
【００１４】
以下、本発明の実施の形態を図面に基づいて説明する。図１〜図５は、本発明の錨の第１実施形態を示している。本錨は、プレジャーボート等の小型船舶に用いられるもので、図１に示すように、棒状の本体１と、本体１下部に左右対称に設けた２本の爪３，３とを備えている。
【００１５】
本体１は、図１に示すように、丸パイプ１ａの上端部と下端部とにプレート１ｂ，１ｃを溶接して形成されている。上部のプレート１ｂには、ロープや鎖を繋ぐための孔１１が形成されている。下部のプレート１ｃは、図４に示すように、中央部に爪３，３を取付けるための軸２の挿通孔１２が形成され、その周囲に分散して爪３，３を固定するためのシャーピン４の差込み孔１３が４つ形成してある。パイプ１ａの下部には、棒状のストック１４ａ，１４ｂが前方と後方に突出して設けてあり、該ストック１４ａ，１４ｂにより錨が倒れるのを防止する。
爪３は、上向きに湾曲する形に形成したアーム３ａの先端部に引っ掛かり板３ｂを溶接して形成されており、図４に示すように、アーム３ａの基端側の丸い板状の部分には、本体下部のプレート１ｃと同様に軸２の挿通孔１５が形成されると共に、その周囲に分散してシャーピン４の差込み孔１６が４つ形成されている。左右の爪３，３は、図３に示すように、アーム３ａの基端部を本体下部のプレート１ｃの前面と後面に当てがい、前後方向に挿通した１本の軸２により回動可能に取付けられている。本体下部のプレート１ｃとアーム３ａの基端部との間には、滑りの良い材質で形成した滑り板７が挟んである。
また左右の爪３は、アーム３ａの基端部と本体下部のプレート１ｃとに貫通させたシャーピン４により、所定の角度に保持される。シャーピン４の差込み孔１３，１６は、本体下部のプレート１ｃとアーム３ａの基端部とに４つずつ形成されているが、必ずしもそれら全ての差込み孔にシャーピン４を挿入する必要はなく、１本のシャーピン４だけで爪３を固定してもよい。
【００１６】
アーム３ａの基端部の本体１と反対側の面には、図３，４に示すように、円盤状のピン飛出し防止板５が、軸２に通して回転自在に設けてある。ピン飛出し防止板５は、外周部の２箇所に切り起こしによりピン挿入用の切り欠き６と操作つまみ１７とが形成されている。シャーピン４をセットするときには、図５（ａ）に示すように、ピン挿入用の切り欠き６からアーム３ａ及び本体下部プレート１ｃのシャーピンの差込み孔１３，１６がのぞく位置にピン飛出し防止板５を回転させ、シャーピン４を差込んだ後に、図５（ｂ）に示すように、ピン飛出し防止板５を少し回転させてシャーピンの差込み孔１３，１６を隠す。これによりシャーピン４が抜けるのを確実に防止できる。
ピン飛出し防止板５は、図３に示すように、皿バネ８によりアーム３ａに押し付けられており、これによりピン飛出し防止板５が手で簡単に回転させられると共に、自然に回転しないようになっている。
軸２は、前側の端部にフランジ部２ａを有し、後側の部分に雌ネジ部２ｂが形成してあり、雌ネジ部２ｂにナット２０を掛けて固定してある。
【００１７】
本錨は以上のように構成され、本体１上部のプレート１ｂの孔１１にロープ１８等を繋いで海中に沈めれば、爪３の先端部の引っ掛かり板３ｂが海底に引っ掛かり、船を一定の位置に停めておくことができる。図６（ａ）に示すように、爪３が岩礁１９に引っ掛かった状態で錨を上げようとすると、図６（ｂ）に示すように、シャーピン４が剪断されることで爪３が軸２を支点に回動し、これにより爪３が岩礁１９から外れ、爪３を破損することなく錨を回収できる。再び錨を使用する際には、図５（ａ）に示すようにピン飛出し防止板５を回転させ、新しいシャーピン４を差込んで爪３を固定し、ピン飛出し防止板５を図５（ｂ）に示すように回転させてシャーピン４を抜け止めする。
【００１８】
以上に述べたように本錨は、回転式のピン飛出し防止板５を備えているので、単なる丸棒状のシャーピン４を使用しても該シャーピン４が抜け落ちることがなく、シャーピン４のセット及び抜け止めの操作もピン飛出し防止板５を回転させることで簡単に行うことができる。シャーピン４の太さ、材質、使用する本数を変更することで、爪３が回動し始めるときの力の大きさを調節することができる。本体下部のプレート１ｃと爪３の間に滑り板７が配置してあるので、爪３が本体１と焼付くのを防止して、爪３を確実に回動させられる。
【００１９】
図７，８は、本発明の錨の第２実施形態を示している。本実施形態は、爪３を固定するのにシャーピン４を使用せず、複数の鋼製のボール１０を用いたベアリング構造を採用したものである。本体下部のプレート１ｃの前後面には、ボール１０が嵌まる半球状の凹み９ａが軸２の挿通孔１２の周囲に分散して複数設けてあり、爪３の基端部にも同じように軸２の挿通孔１５の周囲にボール１０が嵌まる凹み９ｂが複数設けてある。本体下部のプレート１ｃと爪３の基端部との間には、図７（ａ）に示すように、前記４箇所の凹み９ａ，９ｂにそれぞれ嵌合させてボール１０が配置され、これらのボール１０を介して爪３が所定の角度に保持されている。凹み９ａ，９ｂは、爪側の凹み９ｂが本体側の凹み９ａよりも若干浅くなっており、本体１と爪３との間には僅かに隙間がある。爪３は、複数重ねた状態で配置された皿バネ８により本体１側に押し付けられている。
【００２０】
爪３が岩礁等に引っ掛かって爪３に一定以上の力が作用すると、図７（ｂ）に示すように、爪側の凹み９ｂからボール１０が外れて爪３が軸２回りに回動し、これにより爪３の引っ掛かりが解消され、爪３を破損することなく錨を回収できる。錨を回収した後、爪３を元の位置に回動させれば、爪側の凹み９ｂにボール１０が嵌まって自動的に初期状態に復帰する。
【００２１】
本実施形態によれば、消耗品であるシャーピン４が不要となるので、取扱いがより一層簡便になると共に、経済的でもある。ナット２０の締付力を加減することで、爪３が回動し始めるときの力の大きさを簡単に調整できる。いったんボール１０が凹み９ｂから外れると、ボール１０の転がりにより爪３が軽く回動する。
【００２２】
本発明は以上に述べた実施形態に限定されない。本体１や爪３の形状・材質等は、適宜変更することができ、爪３の本数も一本のものや、３本以上であってもよい。ピン飛出し防止板５に設けられるピン挿入部は、切り欠き状に限らず、孔状であってもよい。
【符号の説明】
【００２３】
１  本体
２  軸
３  爪
４  シャーピン
５  ピン飛出し防止板
６  ピン挿入用の切り欠き（ピン挿入部）
７  滑り板
８  皿バネ（バネ）
９ａ，９ｂ  凹み
１０  ボール
【図１】
0005383396.tif 000002
【図２】
0005383396.tif 000003
【図３】
0005383396.tif 000004
【図４】
0005383396.tif 000005
【図５】
0005383396.tif 000006
【図６】
0005383396.tif 000007
【図７】
0005383396.tif 000008
【図８】
0005383396.tif 000009